(57)【要約】【目的】吊りボルトへの取付固定が容易であり、しかも直交ボルトへの種々設備類を取付固定した後であっても吊りボルトに対する取付位置の高さ調整・変更が可能な吊りボルトへの取付具を提供する。【構成】天井面の如き取付面から垂設される吊りボルトに取付けられる取付具本体と、該取付具本体に前記吊りボルトに対して直交する方向で取り付けられる直交ボルトと、を有する吊りボルトへの取付具において、取付具本体が、可撓性を有する１枚の金属板を略コ字状に折曲げて、吊りボルトの側方近傍に配設される側板部と、側板部の上端に連設する天板部と、側板部の下端に連設する底板部と、を有する構成に形成されており、更に、側板部には前記直交ボルトが取付けられ、天板部と底板部の各々には、前記吊りボルトを側方から挿通すると共に該吊りボルトのネジ山に係合する切欠部が形成された構成である。【選択図】図１
2020085188.tif 000002
【特許請求の範囲】
【請求項１】
天井面の如き取付面から垂設される吊りボルトに取付けられる取付具本体と、該取付具本体に前記吊りボルトに対して直交する方向で取り付けられる直交ボルトと、を有する吊りボルトへの取付具において、
取付具本体が、可撓性を有する１枚の金属板を略コ字状に折曲げて、吊りボルトの側方近傍に配設される側板部と、側板部の上端に連設する天板部と、側板部の下端に連設する底板部と、を有する構成に形成されており、
更に、側板部には前記直交ボルトが取付けられ、
天板部と底板部の各々には、前記吊りボルトを側方から挿通すると共に該吊りボルトのネジ山に係合する切欠部が形成された構成であること、
を特徴とする吊りボルトへの取付具。
【請求項２】
吊りボルトが前記切欠部の開放部から該切欠部の内側に挿通され、該切欠部の内側の縁の少なくとも一部に前記吊りボルトのネジ山が係合する構成であることを特徴とする請求項１に記載の吊りボルトへの取付具。
【請求項３】
前記側板部に透孔が設けられ、該透孔に前記直交ボルトが吊りボルト側から挿通された構成であることを特徴とする請求項１又は２に記載の吊りボルトへの取付具。
【請求項４】
前記側板部の透孔に直交ボルトが螺合固定された構成であることを特徴とする請求項３に記載の吊りボルトへの取付具。
【請求項５】
前記側板部に、前記吊りボルトに対して付勢状態で当接する付勢部材が設けられた構成であること請求項１〜４のいずれかに記載の吊りボルトへの取付具。
【請求項６】
前記天板部及び／又は底板部に、前記吊りボルトに対して付勢状態で当接する付勢部材が設けられた構成であることを特徴とする請求項１〜５のいずれかに記載の吊りボルトへの取付具。
【請求項７】
前記側板部が撓むことによって前記直交ボルトのボルト頭部が前記吊りボルトに付勢状態で当接する構成であることを特徴とする請求項１〜６の何れかに記載の吊りボルトへの取付具。
【請求項８】
前記直交ボルトのボルト頭部にゴム部材・バネ部材の如き弾性部材が配設される構成であることを特徴とする請求項７に記載の吊りボルトへの取付具。
【発明の詳細な説明】
【技術分野】
【０００１】
本発明は吊りボルトへの取付具に関し、詳しくは天井面の如き取付面から垂設される吊りボルトに配管支持具やアングル等の他の部材を取付固定するための取付具に関する。
【背景技術】
【０００２】
建物等の設備工事において、ガス管・給水管・給湯管等の配管類や空調機器類等の種々設備を、天井面の如き取付面から垂設される吊りボルトに支持固定するための取付具・固定具等が様々に提案されたり、或いは用いられている。
【０００３】
例えば、特許文献１に記載の技術は、吊りボルトの直交方向の両側から挟み込むことで該吊りボルトに挟持取付する一対の挟持体から成る取着体に、種々設備を螺合取付可能なボルトが前記吊りボルトに直交する方向で配設された構成を有し、この取着体の直交ボルトに配管支持具やアングル・チャンネル等を螺合取付することによって、配管類や空調機器類の吊りボルトへの吊下支持が可能となる構成を有するものである。
【先行技術文献】
【特許文献】
【０００４】
【特許文献１】特許第３８０５７３０号
【発明の概要】
【発明が解決しようとする課題】
【０００５】
特許文献１の技術では、一対の挟持体から成る取着体に配設された直交ボルトが、種々設備類を螺合取付するための機能を有するだけでなく、取着体を成す一対の挟持体同士を互いに引き寄せて組み合わせた状態で直交ボルトを緊締することにより吊りボルトを挟持して固定する機能をも有するものとなっている。
従って、直交ボルトを緊締して吊りボルトに取着体を挟持固定し、更に種々設備類を直交ボルトに螺合取付した後は、種々設備類を取り外すことなく吊りボルトに対する取着体のみの緊締を緩めることができないため、吊りボルトに対する取着体の高さを調整したり変更するには、取着体から種々設備類を取り外さなければならないという問題点を有している。
【０００６】
そこで本発明の課題は、吊りボルトへの取付固定が容易であり、しかも直交ボルトへの種々設備類を取付固定した後であっても吊りボルトに対する取付位置の高さ調整・変更が可能な吊りボルトへの取付具を提供することにある。
【課題を解決するための手段】
【０００７】
上記課題を解決する本発明は下記構成を有する。
【０００８】
１．天井面の如き取付面から垂設される吊りボルトに取付けられる取付具本体と、該取付具本体に前記吊りボルトに対して直交する方向で取り付けられる直交ボルトと、を有する吊りボルトへの取付具において、
取付具本体が、可撓性を有する１枚の金属板を略コ字状に折曲げて、吊りボルトの側方近傍に配設される側板部と、側板部の上端に連設する天板部と、側板部の下端に連設する底板部と、を有する構成に形成されており、
更に、側板部には前記直交ボルトが取付けられ、
天板部と底板部の各々には、前記吊りボルトを側方から挿通すると共に該吊りボルトのネジ山に係合する切欠部が形成された構成であること、
を特徴とする吊りボルトへの取付具。
【０００９】
２．吊りボルトが前記切欠部の開放部から該切欠部の内側に挿通され、該切欠部の内側の縁の少なくとも一部に前記吊りボルトのネジ山が係合する構成であることを特徴とする上記１に記載の吊りボルトへの取付具。
【００１０】
３．前記側板部に透孔が設けられ、該透孔に前記直交ボルトが吊りボルト側から挿通された構成であることを特徴とする上記１又は２に記載の吊りボルトへの取付具。
【００１１】
４．前記側板部の透孔に直交ボルトが螺合固定された構成であることを特徴とする上記３に記載の吊りボルトへの取付具。
【００１２】
５．前記側板部に、前記吊りボルトに対して付勢状態で当接する付勢部材が設けられた構成であること上記１〜４のいずれかに記載の吊りボルトへの取付具。
【００１３】
６．前記天板部及び／又は底板部に、前記吊りボルトに対して付勢状態で当接する付勢部材が設けられた構成であることを特徴とする上記１〜５のいずれかに記載の吊りボルトへの取付具。
【００１４】
７．前記側板部が撓むことによって前記直交ボルトのボルト頭部が前記吊りボルトに付勢状態で当接する構成であることを特徴とする上記１〜６の何れかに記載の吊りボルトへの取付具。
【００１５】
８．前記直交ボルトのボルト頭部にゴム部材・バネ部材の如き弾性部材が配設される構成であることを特徴とする上記７に記載の吊りボルトへの取付具。
【発明の効果】
【００１６】
請求項１に示す発明によれば、吊りボルトへの取付固定が容易であり、しかも直交ボルトへの種々設備類を取付固定した後であっても吊りボルトに対する取付位置の高さ調整・変更が可能な吊りボルトへの取付具を提供することができる。
【００１７】
特に、取付具の吊りボルトへの取付構成と、取付具に対する種々設備類の取付構成と、が別構成であるため、吊りボルトに対する取付具の取付位置の高さ調整・変更を種々設備類の螺合取付後であっても容易に行うことが可能である。
また、簡易な構造を有するので低コストで且つ容易に製造することができる。
【００１８】
請求項２に示す発明によれば、吊りボルトへの取付具の取付は、取付具の天板部と底板部に形成された切欠部に該切欠部の開放部から吊りボルトを挿通し、該吊りボルトのネジ山を係合させるだけで行うことができる。
【００１９】
請求項３に示す発明によれば、取付具の吊りボルトへの取付構成とは全く別構成として直交ボルトを取付具に取付けることができる。従って、種々設備類の直交ボルトへの螺合取付と、取付具の吊りボルトへの取付位置の高さ調整・変更と、を各々制限を受けることなく行うことが可能である。
【００２０】
請求項４に示す発明によれば、直交ボルトを取付具に容易に取り付けることができる。
【００２１】
請求項５、６、７又は８に示す発明によれば、振動（震動）時に吊りボルトへの係合が外れてしまうことを抑制することができる。特に、直交ボルトへの種々設備類を取付固定した後であっても吊りボルトに対する取付位置の高さ調整・変更が可能でありながら、耐振（耐震）性にも優れた吊りボルトへの取付具である。
【図面の簡単な説明】
【００２２】
【図１】本発明に係る吊りボルトへの取付具の使用状態の一例を示す斜視図
【図２】本発明に係る吊りボルトの取付具の一実施例を示す６面図（正面図、背面図、平面図、底面図、左側面図、右側面図）
【図３】図２に示す吊りボルトの取付具の吊りボルトへの取付状態例を示す６面図（正面図、背面図、平面図、底面図、左側面図、右側面図）
【図４】付勢部材の一例を示す右側面図
【図５】付勢部材の他の例を示す右側面図と平面図
【図６】側板部による付勢状態の一例を示す右側面図
【図７】側板部による付勢状態の他の例を示す右側面図
【図８】弾性部材を用いた付勢状態の一例を示す右側面図
【発明を実施するための形態】
【００２３】
次に、添付の図面に従って本発明を詳細に説明する。
【００２４】
本発明に係る吊りボルトへの取付具（以下、単に取付具と言うこともある。）は、天井面の如き取付面から垂設される吊りボルトに、ガス管・給水管・給湯管等の配管類を支持固定するための配管支持具や、空調機器類等の種々設備を吊下支持するためアングル部材等を支持固定するために用いられるものである。
【００２５】
本発明の取付具の具体的構成としては、図１〜図３に示す実施例によれば、
取付具１は、吊りボルト４に取付けられる取付具本体２と、該取付具本体２に前記吊りボルト４に対して直交する方向で取り付けられる直交ボルト３と、を有する構成において、
取付具本体２が、可撓性を有する１枚の金属板を略コ字状に折曲げて、吊りボルト４の側方近傍に配設される側板部２１と、側板部２１の上端に連設する天板部２２と、側板部２１の下端に連設する底板部２３と、を有する構成に形成されており、
更に、側板部２１には前記直交ボルト３が取付けられ、
天板部２２と底板部２３の各々には、前記吊りボルト４を側方から挿通すると共に該吊りボルト４のネジ山に係合する切欠部２２Ａ・２３Ａが形成された構成であること、
を主構成とするものである。
【００２６】
以下、本発明の構成について更に詳説する。
【００２７】
取付具本体２は、上記したように可撓性を有する１枚の金属板を折曲げて形成されるものであり、可撓性を有する金属板としては、この種の配管支持具類の素材として公知公用のものを挙げることができ、例えば、ステンレス鋼板材やアルミ合金板材等を好ましく挙げることができる。
【００２８】
天板部２２に形成される切欠部２２Ａと底板部２３に形成される切欠部２３Ａは、側板部２１との折曲線に隣接する２つの辺部分のいずれか（図２、図３に示す平面図に表れる天板部２２の右側に位置する辺、底面図に表れる底板部２３の右側に位置する辺）に開放部２２Ｂ・２３Ｂが形成されていることが好ましい。かかる構成によれば、直交ボルト３に種々設備類が螺合取付支持された際に該直交ボルト３を介して取付具本体２に掛かる荷重方向とは異なる方向（直交する方向）に切欠部２２Ａ・２３Ａの開放部２２Ｂ・２３Ｂが形成されているため、該開放部２２Ｂ・２３Ｂから吊りボルト４が抜けてしまうことを抑制することができる。
【００２９】
吊りボルト４への取付具１の取付に際して、開放部２２Ｂ・２３Ｂから挿通され、切欠部２２Ａ・２３Ａの内側へ案内された吊りボルト４は、そのネジ山の部分が切欠部２２Ａ・２３Ａの内側の縁の少なくとも一部に係合することにより固定する構成となっている。
【００３０】
前記側板部２１に透孔２１Ａが設けられ、該透孔２１Ａに前記直交ボルト３のボルト軸部３１が吊りボルト側４から挿通された構成であることが好ましい。更に、側板部２１の透孔２１Ａに挿通された直交ボルト３は、該透孔２１Ａに螺合固定された構成であることがより好ましい。
【００３１】
以上の構成を有する本発明の取付具１は、吊りボルト３に取付けることが可能であり、この取付具１の直交ボルト３に種々設備類を螺合取付することができる。螺合取付可能な種々設備類としては、例えば、配管支持バンド等の配管支持具、配管支持具を取付けるためのタンバックルや取付足、空調機器類等を取付けるためのアングル・チャンネル・支持杆等を挙げることができ、天井等の取付面から吊りボルトを用いて吊下支持される様々な物品及び当該物品を取付けるための取付手段・固定手段の取付固定が可能である。
【００３２】
以上、本発明に係る吊りボルトへの取付具の実施例について説明したが、本発明は上記構成に限定されず、本発明の範囲内において種々の態様を採ることができる。
【００３３】
例えば、天板部２２に設けられた切欠部２２Ａと底板部２３に設けられた切欠部２３Ａは、上記実施例では開放部２２Ｂと開放部２３Ｂは開放部分が同じ方向であるが、反対方向であってもよい。この場合、吊りボルト４への挿通取付に際しては、取付具本体２を斜めに傾けた状態から行うことができる。
【００３４】
また、切欠部２２Ａ・２３Ａと吊りボルト４との係合力を向上させる付勢構成を取付具本体２に設ける構成としてもよい。この付勢構成は、吊りボルトに対して付勢状態で当接して係合力を向上させることによって抜け落ちを抑制する作用を果たすものであり、例えば、図４〜図８に示すような構成を採ることができる。
【００３５】
図４に示す付勢構成は、側板部３２に、吊りボルト４に対して付勢状態で当接する付勢部材２１Ｃを設ける構成であり、取付具本体２と同素材又は異素材で弾性を有する板材を側板部３２に配設する構成である。付勢部材２１Ｃを取付具本体と同素材で形成する場合、側板部３２の一部を切起し形成することによって設けることもできる。また、図４に示す本実施例では、側板部３２Ｃの高さが高く設定されている。
【００３６】
図５に示す付勢構成は、天板部２２（及び／又は底板部２３）に、吊りボルト４に対して付勢状態で当接する付勢部材２２Ｃ（２３Ｃ）を設ける構成であり、天板部２２（底板部２３）の一部を切起し形成することによって設けることができる。尚、付勢部材２２Ｃ（２３Ｃ）は取付具本体２と別部材の板材等を付加する構成であってもよい。
【００３７】
図６に示す付勢構成は、側板部２１の撓みによって直交ボルト３のボルト頭部３２が吊りボルト４に付勢状態で当接する構成である。また、図６に示す本実施例では、側板部３２Ｃの高さが高く設定されている。
【００３８】
図７に示す付勢構成は、側板部２１を吊りボルト４方向に予め弓形に撓ませた形状に加工し、この弓形に撓んだ側板部２１によって直交ボルト３のボルト頭部３２が吊りボルト４に付勢状態で当接する構成である。また、図７に示す本実施例では、側板部３２Ｃの高さが高く設定されている。
【００３９】
図８に示す付勢構成は、直交ボルト３のボルト頭部３２にゴム部材の如き弾性部材３３を配設し、この弾性部材３３の弾性力によってボルト頭部３２の該弾性部材３３が吊りボルト４に付勢状態で当接する構成である。また、図８に示す本実施例では、側板部３２Ｃの高さが高く設定されている。
【００４０】
本発明に係る吊りボルトへの取付具は、吊りボルトから吊下支持する種々設備類の種類・大きさ・数等の種々条件に応じて、１本の吊りボルトに対して１つの取付具を取付けてもよいし、２つ以上取付けてもよい。また、複数本の吊りボルトの各々に１つ又は２つ以上の取付具を取付けることによって長尺物（例えば、配管類等）や大型の物（例えば、空調機器等）を吊下支持することが可能となる。
【符号の説明】
【００４１】
１  取付具
２  取付具本体
２１  側板部
２１Ａ  透孔
２１Ｃ  付勢部材
２２  天板部
２２Ａ  切欠部
２２Ｂ  開放部
２２Ｃ  付勢部材
２３  底板部
２３Ａ  切欠部
２３Ｂ  開放部
２３Ｃ  付勢部材
３  直交ボルト
３１  ボルト軸部
３２  ボルト頭部
３３  弾性部材
４  吊りボルト
【図１】
2020085188.tif 000003
【図２】
2020085188.tif 000004
【図３】
2020085188.tif 000005
【図４】
2020085188.tif 000006
【図５】
2020085188.tif 000007
【図６】
2020085188.tif 000008
【図７】
2020085188.tif 000009
【図８】
2020085188.tif 000010